(57)【要約】【課題】大容量を有するメダル貸出機を実現させ、これに補給ラインを付設して補給の手間のかからないスロットマシン用のメダル循環装置を提供する。【解決手段】島１の下部に配置したメダル供給タンク９に貯留するメダル１０を揚送して受け皿１２に直接払い出しするメダル揚送装置６を備えたメダル貸出機４と、島１の一端に設けた第一の貯留タンク１３から延伸してメダル１０をメダル供給タンク９に配給する第一の補給ライン１４と、第一の補給ライン１４の先端部に設置した第二の貯留タンク１５からメダル１０を揚送するリフター１８と、揚送したメダル１０をスロットマシン３のメダル供給タンク１６に配給する第二の補給ライン１９と、第二の補給ライン１９の先端部から第一の貯留タンク１３にメダル１０を回収する連絡路２０とにより構成し、さらにメダル供給タンク１６よりオーバーフローするメダル１０を第一の補給ライン１４に回収するようにした。【選択図】  図１
2005007127.tif 000002
【特許請求の範囲】
【請求項１】
並列させた複数のスロットマシンのそれぞれにメダル貸出機を隣接させて一つの島を形成し、これにメダル補給装置を付設してメダル循環機能を持たせたメダル循環装置であって、
前記メダル貸出機は、島の下部に設置されてメダルを貯留するメダル供給タンクと、このメダル供給タンクに貯留されたメダルを揚送するメダル揚送装置と、揚送したメダルをスロットマシンの受け皿まで案内して排出するシュートとにより構成されたメダル搬送機構を備え、
前記メダル補給装置は、島の一端に設けられてメダルを貯留する第一の貯留タンクと、この第一の貯留タンクに貯留されたメダルを前記メダル供給タンクの上部に配設してこのメダル供給タンクのそれぞれに配給する第一の補給ラインと、この第一の補給ラインの先端部に設置してメダルを貯留する第二の貯留タンクと、この第二の貯留タンクに貯留されたメダルを前記スロットマシン本体の上部へ揚送するリフターと、このリフターにより揚送したメダルを前記スロットマシンの上部に配設してこのスロットマシンのメダル供給タンクに配給する第二の補給ラインと、この第二の補給ラインの先端部に設置して前記第一の貯留タンクにメダルを回収する連絡路とにより構成され、
さらに、前記スロットマシンに装着されたメダル供給タンクよりオーバーフローするメダルを前記第一の補給ライン上に回収するオーバーフロー連絡管を設けたことを特徴とするメダル循環装置。
【請求項２】
前記メダル貸出機の上部スペースに、隣接するスロットマシンの遊技成績を表示する遊技情報表示手段を備えたことを特徴とする請求項１に記載のメダル循環装置。
【請求項３】
前記メダル揚送装置における揚送レールの適所に、両面から摺接してメダルの汚れを拭き取るメダル清浄手段が具備されることを特徴とする請求項１または請求項２に記載のメダル循環装置。
【発明の詳細な説明】
【０００１】
【発明の属する技術分野】
この発明は、メダル揚送装置を備えたメダル貸出機とスロットマシンとを並置して構成した島にメダル補給装置を付設して構築したメダル循環装置に関する。
【０００２】
【従来の技術】
遊技ホールでは、複数のスロットマシンを並べていわゆる島と称する集合体を形成し、幾つかの島を独自にアレンジして遊技場として提供している。並列させたスロットマシンには、通常、メダル貸出機が隣接して配設され、投入された貨幣の額に応じたメダルが払い出される。そして、入手したメダルをスロットマシンに投入することにより遊技開始状態となり、遊技の結果、複数列のリールの図柄が予め入賞設定された組み合わせとなったときに、相応する数のメダルでもって配当が支払われる仕組みとなっている。したがって、スロットマシンには入賞用のメダルを、またメダル貸出機には貸出し用のメダルを供給できるだけの量が確保される必要がある。
【０００３】
メダルを補充する最も手っ取り早い方法は、スロットマシンおよびメダル貸出機のそれぞれに装着されたメダル供給タンクに、遊技ホールの係員が不足分を足していくというものであるが、省力化・効率化・コスト削減の観点からは問題がある。そこで、人手に頼らずにメダルが自動的に補給される装置の出現に対する要望が高まり、近年、スロットマシン単体に循環機能を持たせたもの（たとえば特許文献１）や、一つの島をユニットとしてメダル循環機能を構築したもの（たとえば特許文献２）などさまざまな工夫がなされ、特許出願もされて実用化が図られている。
【０００４】
【特許文献１】
特開平１１−７６４９６号公報
【特許文献２】
特開２００１−１７８８７３号公報
【０００５】
【発明が解決しようとする課題】
上記引例を始めとしてさまざまなメダル循環装置が提案されているなかにあって、この発明が課題とするところは、メダルの補給作業の省力化を図ることはもちろんのこと、スロットマシン本体をほとんど設計変更することなく、メダル貸出機が主体となる循環装置を完成させると同時に、できる限りコンパクトな循環装置を提供することにある。そして、これに伴って生じるメダル貸出機の空きスペースを遊技情報表示手段の設置場所として有効利用することにより、スロットマシンと一体感のある遊技機を提供することのほか、島全体の高さを低めに抑えて、明るく見通しのよい遊技ホールの環境作りと、防犯カメラなどによる監視範囲が広がってスロットマシンなどに対する不正操作のしにくい環境作りに貢献することにある。
【０００６】
【課題を解決するための手段】
この発明は以上の如き課題に鑑みなされたもので、請求項１に記載の発明は、並列させた複数のスロットマシンのそれぞれにメダル貸出機を隣接させて一つの島を形成し、これにメダル補給装置を付設してメダル循環機能を持たせたメダル循環装置であって、前記メダル貸出機は、島の下部に設置されてメダルを貯留するメダル供給タンクと、このメダル供給タンクに貯留されたメダルを揚送するメダル揚送装置と、揚送したメダルをスロットマシンの受け皿まで案内して排出するシュートとにより構成されたメダル搬送機構を備え、前記メダル補給装置は、島の一端に設けられてメダルを貯留する第一の貯留タンクと、この第一の貯留タンクに貯留されたメダルを前記メダル供給タンクの上部に配設してこのメダル供給タンクのそれぞれに配給する第一の補給ラインと、この第一の補給ラインの先端部に設置してメダルを貯留する第二の貯留タンクと、この第二の貯留タンクに貯留されたメダルを前記スロットマシン本体の上部へ揚送するリフターと、このリフターにより揚送したメダルを前記スロットマシンの上部に配設してこのスロットマシンのメダル供給タンクに配給する第二の補給ラインと、この第二の補給ラインの先端部に設置して前記第一の貯留タンクにメダルを回収する連絡路とにより構成され、さらに、前記スロットマシンに装着されたメダル供給タンクよりオーバーフローするメダルを前記第一の補給ライン上に回収するオーバーフロー連絡管を設けたことを特徴とする。
【０００７】
請求項２に記載の発明は、請求項１に記載のメダル循環装置において、前記メダル貸出機の上部スペースに、隣接するスロットマシンの遊技成績を表示する遊技情報表示手段を備えたことを特徴とする。さらに、請求項３に記載の発明は、請求項１または請求項２に記載のメダル循環装置において、前記メダル揚送装置における揚送レールの適所に、両面から摺接してメダルの汚れを拭き取るメダル清浄手段が具備されることを特徴とする。
【０００８】
以上のように構成したスロットマシンのメダル循環装置は、遊技客の貨幣の投入によって起動するようにしたメダル揚送装置が、島の下部に置いたメダル供給タンクからメダルを揚送して、直接スロットマシンの受け皿に排出するので、通常はメダル貸出機の内部に収納されているメダル貯留のためのメダル供給タンクを不要とする。もしこのメダル供給タンクにメダル不足が生じた場合は、第一の貯留タンクに貯留されたメダルが第一の補給ラインを通じて補給される。このとき、第一の補給ライン内で利用されないまま通過したメダルは、第一の補給ラインの先端部に設置した第二の貯留タンクに回収される。また、遊技客が遊技して入賞による払い出しが少ないためにスロットマシンの内部に装着されたメダル供給タンクからオーバーフローするメダルも、オーバーフロー連絡管に案内されて第一の補給ラインの上に落下し、第二の貯留タンクに集められる。
【０００９】
第二の貯留タンクに集められたメダルは、リフターによってスロッマシンの上部に揚送されて第二の補給ラインに載って運ばれ、スロットマシンの内部に装着されたメダル供給タンクに補給される。そして、第二の補給ラインで補給用として利用されないまま通過したメダルは、第二の補給ラインの先端部に設けた連絡路を通って第一の貯留タンクに戻される。このようしてメダルの循環機構が完結する。この結果、遊技客が大当たりとなる入賞によって大量にメダルを持ち出さない限り、メダル循環装置内でメダルは循環を続ける。
【００１０】
メダル貸出機の本体部分には、メダル揚送装置の一部を構成する揚送レールの先端部が達してスロットマシンの受け皿にメダルを案内するシュートが取付られるほか、遊技客が投入した貨幣を識別してメダルの排出を指示するメダル貸出ユニットが収納されている。そして、このような構成としたことによりメダル貸出機のさらに上部には空きスペースが現れるが、この空きスペースには隣接するスロットマシンの遊技成績を表示する遊技情報表示手段を収めて、遊技客が遊技するときに機種を選定するための情報提供を行う。通常、遊技情報表示手段はスロットマシンの上に載置されており、これをメダル貸出機に収納することで遊技客にとって見やすくなり、またその分、島の高さが低めに抑えられるので遊技ホールの見通しが向上する。
【００１１】
【発明の実施の形態】
次に、この発明の実施の一形態について、図を参照しながら説明する。図１は複数のスロットマシンを並設して形成した一つの島の概略的な正面図を示し、図２はその概略的な側面図を示すものである。図３は、メダル揚送装置の要部についての概略的な説明のための（ａ）正面図および（ｂ）側面図である。
【００１２】
図１および図２に示す実施態様について、島１は、取付枠２の中にスロットマシン３を片側に４台並べ、さらに同じものを背中合わせに並べた合計８台によって構成されている。そして、スロットマシン３のそれぞれ右側に隣接してメダル貸出機４が設置されている。このメダル貸出機４には、遊技客が投入した貨幣を識別してメダルの排出を指示する図示しないメダル貸出ユニットが収納されているが、この実施例では紙幣専用となっており、外観からは紙幣投入口５だけが見えている。
【００１３】
メダル揚送装置６は、一般には硬貨の揚送装置と称して製品化されて販売もされている。その仕組みはたとえば特開平８−４４９２９号公報に開示されているが、コイン揚送装置の基本的な構成はほとんど類似したものである。すなわち図３に示すように、メダル揚送装置６は、メダル繰出し機構７と揚送レール８の二つの主要部分によって構成されるもので、このうち、メダル繰出し機構７は、隣接するメダル供給タンク９とセットとなって使用される。
【００１４】
メダル繰出し機構７には、板面を傾斜させて配置した回転円板７１が備わり、モータ７２により回転するようになっている。メダル供給タンク９には、この回転円板７１に通じる連絡通路が形成され、メダル１０は整列させられたのち、この連絡通路を通って回転円板７１に一枚ずつ送り出される。回転円板７１には、メダル１０とほぼ同一直径を有する複数の段付き穴７３が、円板面上の周方向に等配して穿設されており、この段付き穴７３にメダル１０が順に一枚ずつ嵌挿する。このとき、メダル１０の嵌挿作業は、回転円板７１の下部位置で行われるように構成されている。
【００１５】
メダル１０は、嵌挿状態のまま回転円板７１の回転に伴って上方に回動し、最上点に到達するより前に裏面側から機械的な押圧を受けて嵌挿状態から解放される。嵌挿状態から解放されたメダル１０は、引き続き回転円板７１の回動に伴って生じるようにした下からの押上げ力でもって上へと持ち上げられる。そして、この後に続くメダル１０も同様の作用でもって上に押し出されてくるので、先行のメダル１０は後行のメダル１０と外周面同士を当接させた状態のままさらに押し上げられる。これが順繰りに繰り返されることで、メダル１０は上へ上へと繰り出されることになる。
【００１６】
メダル揚送装置６のもう一方の主要部分である揚送レール８は、帯状の薄板からなるもので、メダル１０が抜け落ちないように、薄板の幅方向の両端部を断面コの字状に形成して、その中にメダル１０の縁を左右から軽く抱きかかえる形状となっている。したがって、メダル繰出し機構７から順に繰り出されたメダル１０は揚送レール８に沿って揚送され、最後には揚送レール８の上端に達したのち揚送レール８から外れる。そして今度は、補給シュート１１に案内されて、スロットマシン３の受け皿１２の中に直接排出される。なお、揚送レール８は略垂直方向に設置されるものであるが、その途中に幅方向や厚さ方向の湾曲個所があっても、緩やかな湾曲であればメダル１０が詰まるようなことはない。
【００１７】
島１の一端部にはメダル１０を貯留する第一の貯留タンク１３が備わり、これより島１の下部中央部を長手方向に貫いて反対側先端まで延伸する第一の補給ライン１４が配設される。第一の補給ライン１４は、たとえばベルトコンベアであって、第一の貯留タンク１３に貯留されているメダル１０をベルトに載せて先端部へと運ぶ。その途中にはスロットマシン３の台数分、すなわち片側４台、両側で８台のメダル揚送装置６が並べられ、直下にメダル供給タンク９の開口部が置かれるように配設される。第一の補給ライン１４より落下するメダル１０は、以下に述べる方法によってそれぞれの開口部の中に落ちるようになっている。
【００１８】
第一の補給ライン１４には、上記メダル供給タンク９の開口部に対応する位置にメダル１０の流れる方向を変える図示しないフラッパーが設けられている。フラッパーは揺動自在に制御可能なたとえば腕木状のものからなるもので、フラッパーがラインの流れと同じ方向に閉じている間はメダル１０は通過し、フラッパーを作動させてラインの流れに対して所定の傾斜角を有して開いたときは、メダル１０は傾斜に沿って次第にラインの縁に寄せられ、メダル供給タンク９の開口に向かって落下する。
【００１９】
フラッパーの開閉は、メダル供給タンク９の内部に装着した通電センサによる検出結果によって切り替わる。すなわち、メダル１０が多量に貯留して通電センサと接触し、電気的な回路が形成されて微電流が流れている間はフラッパーが閉じる。一方、メダル１０が少なくなって、通電センサと接触しなくなり電流が切断されたときは、フラッパーが開いて第一の補給ライン１４を流れるメダル１０をメダル供給タンク９に呼び込むのである。
【００２０】
第一の補給ライン１４にて補給用に利用されないで通過したメダル１０は、第一の補給ライン１４の先端部に設置した第二の貯留タンク１５に回収される。またこれとは別に、スロットマシン３の本体内には入賞時に払出すメダル１０を蓄えたメダル供給タンク１６が装着されていて、遊技客が遊技して入賞による払い出しが少ないために、遊技に投じたメダル１０でもってメダル供給タンク１６が満杯となりオーバーフローするメダル１０も、メダル供給タンク１６から連絡させたオーバーフロー連絡管１７を通じて第一の補給ライン１４の上に落下する。そして、第一の補給ライン１４によって搬送される間にメダル貸出機４に備わるメダル供給タンク９に呼び込まれることなく通過したメダル１０は、やはり第二の貯留タンク１５に回収される。
【００２１】
第二の貯留タンク１５に回収されたメダル１０は、リフター１８によって島１の上部へ揚送される。リフター１８は、たとえばチェーンベルトのベルト面にバケットを並べて取り付けた構造のもので、ベルトの周動に伴ってバケットでもってメダル１０を次々と掻き集めて揚送し、島１の上部まで揚送したところで第二の補給ライン１９の上に吐き出すように形成される。第二の補給ライン１９は、背中合わせにして構成したスロットマシン３の上部中央部を貫通して配設されており、リフター１８より吐き出されたメダル１０は、第二の補給ライン１９に載って先端部に向かって搬送される。
【００２２】
第二の補給ライン１９においても、第一の補給ライン１４と同じ状況が繰り返される。すなわち、第二の補給ライン１９に載置されたメダル１０は、並列したスロットマシン３に対応してこのラインの途中に配設した図示しないフラッパーの開閉の切り替えによって、前述と同様に閉じたフラッパーを通過する場合と、傾斜を有して開いたフラッパーによってベルトの縁に寄せられて落下する場合とに分かれる。それぞれの落下位置の直下には、スロットマシン３に装着したメダル供給タンク１６の開口部が配設されており、メダル１０は、開口部に落ちてメダル供給タンク１６の中に貯留される。このとき、フラッパーの開閉の切り替えは、既述のように、メダル供給タンク１６の中に装着した通電センサと貯留するメダル１０の数量との関係によって引き起こされる電気回路の接続または切断かの状態によって切り替わる。途中で利用されずに最後まで通過したメダル１０は、第二の補給ライン１９の先端部に配設した連絡路２０を通して第一の貯留タンク１３に回収される。これによって、一巡するスロットマシンのメダル循環装置が構築されたことになる。
【００２３】
以上のように構成されたメダル循環装置において、遊技客は、まず、メダル貸出機４から遊技用のメダル１０を借り出すために、メダル貸出機４の紙幣投入口５に紙幣を挿入する。メダル貸出機４に内蔵されたメダル貸出ユニットがこれを認識し、不良紙幣でないことが識別されればメダル揚送装置６に起動の指令を送る。メダル揚送装置６は、メダル供給タンク９に貯留したメダル１０の揚送を開始し、揚送レール８の先端から補給シュート１１を通じて受け皿１２に排出する。揚送レール８の先端には計数センサが組み込まれ、投入金額に相応する数量のメダル１０を排出した時点でメダル揚送装置６に停止信号を送る。
【００２４】
遊技客が入手したメダル１０をメダル投入口２１より投入し、スタートレバー２２を押し倒すことで遊技開始となる。スロットマシン３の表示窓２３の内部奥に収められた図示しない通常３列のリールが一斉に回転を始めるので、３つのストップボタン２４を適宜操作して各リールの回転を停止させる。停止時にリールに描かれた図柄が入賞設定された組合わせとなったときは、スロットマシン３に内装されたメダル供給タンク１６から配当のメダル１０が受け皿１２に払い出される。払い出しする入賞回数が少なく、遊技に投じたメダル１０でもってメダル供給タンク１６が満杯を超えたときは、メダル１０はオーバーフローして、オーバーフロー連絡管１７を通じて第一の補給ライン１４に落下するようになっている。反対に入賞回数が多くてメダル供給タンク１６に貯留するメダル１０が不足する場合は、第二の補給ライン１９から補給を受ける。
【００２５】
このメダル循環装置において、メダル揚送装置５は、紙幣が挿入されたときにのみ作動する。しかしながら、第一の補給ライン１４，リフター１８，第二の補給ライン１９などの他の循環装置部分については、常時稼動によってオーバーフローするメダル１０の回収やメダル揚送装置６用のメダル供給タンク９，スロットマシン３内のメダル供給タンク１６に常に補給できる態勢をとることでほとんど問題なくメダル補給をすることができる。あるいはまた、メダル供給タンク９およびメダル供給タンク１６に取り付けた通電センサの求めに応じて適宜稼動させる方式としてもよい。さらにまた、第一の貯留タンク１３と第二の貯留タンク１５との間で、メダルの貯留量に甚だしく不均衡が生じる場合もないとはいえないので、第一の貯留タンク１３にも通電センサなどによる貯留量の検出手段を設けてチェックすることにより、このような問題を解消し、さらに確実性の高いメダル循環装置とすることができる。
【００２６】
なお、このメダル循環装置において、遊技客が大勝してドル箱２７に詰め替えた場合は、その分、この循環系からメダル１０の絶対量が不足することになるので、遊技ホールの係員によって補給する必要が生じる。しかしながら、メダル貸出機４のメダル供給タンク９を島１の下部に配置したことにより従来より遥かに容量の大きいメダル供給タンクとすることができるので、人手に頼るメダル補給の頻度は格段に少なくて済む。
【００２７】
メダル供給タンク９を島１の下部に配置したことにより生じたメダル貸出機４の上部空きスペースには、遊技情報表示手段２５を装着する。ここで、遊技情報の具体例をこの実施態様に則して説明すると、表示個所は４ヶ所にあって、それぞれ「回転数」，「ＢＩＧ」，「ＲＥＧ」，「履歴」といった遊技実績に関するタイトルが掲げられ、その下にデータが電光表示されるようになっている。「ＢＩＧ」とは、このメダル貸出機４に隣接して対応させたスロットマシン３が、当日に大当り入賞を何回出したかを示すもので、その回数が数字で表示される。「ＲＥＧ」は大当り以外の当り回数を示し、同じく数字で表される。「回転数」は、大当りが出るまでの遊技回数を累積して数字表示するもので、大当りが出たところで零にリセットされる。「履歴」は、回転数が都度ごとにリセットされるのに対し、こちらは棒グラフ表示などによって回転数の履歴が分かるようにしたものである。そして、これらの情報は、遊技客がどのスロットマシンで遊技するかを選択する際の判断の目安として利用されている。
【００２８】
このように遊技情報表示手段２５の組み込んだメダル貸出機４を実現できたことでメダル貸出機４とスロットマシン３との一体感が増し、遊技客にとって見やすいものとなる。さらに、島１の上に何も置かなければ、高さが低くなってすっきりとし、見通しがよくなる。あるいはまた、島１の上を他の用途に有効利用することもできる。図１には、島１の上をドル箱２７の仮置き場として利用した場面が例示されている。
【００２９】
揚送レール８の適所には、メダル清浄手段２６が備えられる。メダル清浄手段２６とは、たとえばメダル１０の厚みより小さい間隔を隔てた一対の布（キャンパス、帆布など）でもって、メダル１０を表裏両面から挟むようにして対向配置させたものである。これにより、メダル清浄手段２６を通過するメダル１０は、両面をこの布と摺接して汚れが拭き取られることになる。
【００３０】
ところで、この発明のメダル循環装置は、上述した実施の一形態にのみ限定されるものではなく、この発明の要旨を逸脱しない範囲内において種々変更を加えうる。たとえば、一つの島におけるスロットマシンの台数に制約がないのはもちろん、背中合わせにした配置とせずに背面を壁に接した片側だけの構成としてもよい。リフター，フラッパー，補給ラインなどの構造についてもこの実施形態にとらわれない。遊技情報表示手段の表示項目は、前日の遊技実績や入賞確率などを表示するものでもよく、また表示方法も液晶画面を利用したものとすることもできる。
【００３１】
【発明の効果】
この発明のメダル循環装置では、貨幣の投入と同時にメダル貸出機のメダル揚送装置を起動させ、島の下部に設置したメダル供給タンクからメダルを揚送してスロットマシンの受け皿へと直接排出するようにしたことで、メダル貸出機の本体内部にメダル供給タンクを備える必要がなくなり、コンパクトな本体部分を実現している。空きスペースとなったメダル貸出機の上部に遊技情報表示手段を組み込むことで、遊技情報表示手段付きのメダル貸出機が提供できるようになり、全体としてスロットマシンとの一体感のある遊技機となる。遊技情報表示手段がスロットマシンの最も重要な部分である表示窓とほぼ同じ高さとなるので、遊技客から見やすくなる。
【００３２】
メダル貸出機のメダル供給タンクをメダル貸出機本体と分離させて島の下部に設置したことから、大容量のメダル供給タンクとすることができ、本件だけでも大いに省力化に貢献するものとなっている。さらに、スロットマシンに装着のメダル供給タンクからオーバーフローするメダルも取り込んだ循環機構を付設しているので、遊技客の大勝による大量のメダル持ち出しがない限り、ほとんど人手のかからないメダル循環装置が形成されている。また、メダルの汚れは、閉鎖した循環系の中で搬送中に拭き取られるので、常に光沢の保たれたメダルとなる。
【００３３】
遊技情報表示手段が各スロットマシンに隣接させたメダル貸出機に組み込まれることにより、全体に高さが低く抑えられた島が出現する。島の上がすっきりとして遊技ホールが明るくなり、見通しも良くなって不正行為などの監視がしやすくなる。あるいはまた、島の上を有効利用するなら、たとえば島の上をドル箱の仮置き場にして遊技客の便宜に供するなどといった利用法を取ることもできる。
【図面の簡単な説明】
【図１】この発明の実施に関わるメダル循環装置の組み込まれた島の正面側からの概略的な説明図である。
【図２】図１に示した島の側面側からの概略的な説明図である。
【図３】メダル揚送装置の要部についての概略的な説明のための（ａ）は正面図、（ｂ）は側面図である。
【符号の説明】
３  スロットマシン
４  メダル貸出機
６  メダル揚送装置
９  メダル供給タンク
１１  補給シュート
１２  受け皿
１３  第一の貯留タンク
１４  第一の補給ライン
１５  第二の貯留タンク
１６  メダル供給タンク
１７  オーバーフロー連絡管
１８  リフター
１９  第二の補給ライン
２０  連絡路
２５  遊技情報表示手段
２６  メダル清浄手段
【図１】
2005007127.tif 000003
【図２】
2005007127.tif 000004
【図３】
2005007127.tif 000005